(57)【要約】【課題】物体によりスイッチが誤操作されることを抑制できる読取装置を提供する。【解決手段】読取装置１は、画像を読み取る撮像センサー１５と、画像が描かれた原稿１２を撮像センサー１５と対向する位置に搬送する原稿搬送部１６と、撮像センサー１５及び原稿搬送部１６を制御する制御部２４と、撮像センサー１５、原稿搬送部１６及び制御部２４を覆う筐体２と、制御部２４と電気的に接続する電源スイッチ５と、を備え、筐体２には凹部３が形成され、凹部３に電源スイッチ５が配置される。【選択図】図１
2019125960.tif 000002
【特許請求の範囲】
【請求項１】
画像を読み取る撮像センサーと、
前記画像が描かれた原稿を前記撮像センサーと対向する位置に搬送する原稿搬送部と、
前記撮像センサー及び前記原稿搬送部を制御する制御部と、
前記撮像センサー、前記原稿搬送部及び前記制御部を覆う筐体と、
前記制御部と電気的に接続するスイッチと、を備え、
前記筐体には凹部が形成され、前記凹部に前記スイッチが配置されることを特徴とする読取装置。
【請求項２】
請求項１に記載の読取装置であって、
前記原稿を挿入する側面を前側面、排出する側面を背側面とした場合、前記前側面と前記背側面との間に装置上面を有し、前記凹部は、前記前側面および前記装置上面に跨って形成されることを特徴とする読取装置。
【請求項３】
請求項２に記載の読取装置であって、
前記凹部は、原稿の搬送をガイドするガイド面と、前記ガイド面から前記装置上面に向けて立設する立設面を有し、前記スイッチは、前記立設面に配置されることを特徴とする読取装置。
【請求項４】
請求項１から請求項３のいずれか一項に記載の読取装置であって、
前記凹部は前記筐体の長手方向の両側に壁部を備え、
前記スイッチの可動部と前記壁部との距離が１ｃｍ以上５ｃｍ以下であることを特徴とする読取装置。
【請求項５】
請求項１から請求項４のいずれか一項に記載の読取装置であって、
前記スイッチは可動部がスライドするスライドスイッチであることを特徴とする読取装置。
【請求項６】
請求項５に記載の読取装置であって、
前記スイッチは前記可動部が弾性部材により付勢されていることを特徴とする読取装置。
【請求項７】
請求項１〜６のいずれか一項に記載の読取装置であって、
前記筐体の上面には情報を表示する第１表示部が設置され、
前記スイッチと前記第１表示部との距離は１ｃｍ以上７ｃｍ以下であることを特徴とする読取装置。
【請求項８】
請求項１〜７のいずれか一項に記載の読取装置であって、
前記スイッチは電源スイッチであり、
前記筐体の長手方向において中心に対して重心と反対側に前記スイッチが配置されていることを特徴とする読取装置。
【請求項９】
請求項８に記載の読取装置であって、
前記筐体を前記凹部側から見たときに前記スイッチは右側に配置されていることを特徴とする読取装置。
【請求項１０】
請求項１〜９のいずれか一項に記載の読取装置であって、
前記凹部には前記原稿を前記原稿搬送部に案内する原稿挿入口が配置されていることを特徴とする読取装置。
【請求項１１】
請求項１〜１０のいずれか一項に記載の読取装置であって、
充電式電池と、
前記充電式電池の充電状態を表示する第２表示部と、を備え、
前記筐体の長手方向において中心に対して重心と反対側の端面に前記第２表示部が配置されていることを特徴とする読取装置。
【発明の詳細な説明】
【技術分野】
【０００１】
本発明は、読取装置に関するものである。
【背景技術】
【０００２】
紙等の媒体に記載された文字や図形を読み取り、電子データに変換する読取装置が広く用いられている。また小型軽量に設計された読取装置が広く知られている。例えば、特許文献１。小型、軽量化された読取装置は、携帯するのに便利であり、使用者は読取装置を鞄やリュックサック等の袋に入れて、容易に運搬している。
【０００３】
読取装置は原稿を搬送する原稿搬送部及び原稿を読み取る撮像センサーを備えている。原稿搬送部が原稿を撮像センサーと対向する場所に移動させる。そして、撮像センサーが原稿に記載された文字や図形を読み取って電子データに変換する。読取装置は制御部を備え、制御部が原稿搬送部及び撮像センサーを制御する。
【０００４】
また、読取装置はバッテリーを備えており、外部から電力の供給が無くても駆動することができる。読取装置は開閉可能な原稿を載置するセット台を備え、読取装置にはセット台上の一面に続く原稿を挿入する挿入口が形成されている。セット台は挿入口に原稿を導く案内板として機能する。
【先行技術文献】
【特許文献】
【０００５】
【特許文献１】特開２０１５−２１１４５０号公報
【発明の概要】
【発明が解決しようとする課題】
【０００６】
特許文献１の読取装置はセット台の開閉を検出する検出スイッチを備えている。使用者がセット台を開くとき、検出スイッチはセット台が開かれたことを検出する。そして、制御部は駆動状態を停止状態から原稿搬送部及び撮像センサーの駆動が可能なスタンバイ状態に移行する。操作者がセット台を閉じるとき、検出スイッチはセット台が閉じられたことを検出する。そして、制御部は原稿搬送部及び撮像センサーの駆動をしない停止状態に移行する。停止状態では制御部が原稿搬送部及び撮像センサーに駆動電流を供給しないので、バッテリーの電力消費が少ないが、スタンバイ状態では制御部が原稿搬送部及び撮像センサーに駆動電流を供給するので、停止状態と比較してバッテリーの電力消費が多い。
【０００７】
使用者が読取装置を鞄や袋の中に入れて運搬するとき読取装置が揺らされて不意にセット台が開くことがある。このとき、読取装置がスタンバイ状態になり、バッテリーの電力が消費される為、バッテリーが電力不足になる。そのため、使用時に読取装置は原稿搬送部及び撮像センサーを駆動できなくなる場合がある。そこで、使用時以外の時に、バッテリーの電力の消費を抑制できる読取装置が望まれていた。
【課題を解決するための手段】
【０００８】
本発明は、上述の課題を解決するためになされたものであり、以下の形態または適用例として実現することが可能である。
【０００９】
［適用例１］
本適用例にかかる読取装置であって、画像を読み取る撮像センサーと、前記画像が描かれた原稿を前記撮像センサーと対向する位置に搬送する原稿搬送部と、前記撮像センサー及び前記原稿搬送部を制御する制御部と、前記撮像センサー、前記原稿搬送部及び前記制御部を覆う筐体と、前記制御部と電気的に接続するスイッチと、を備え、前記筐体には凹部が形成され、前記凹部に前記スイッチが配置されることを特徴とする。
【００１０】
本適用例によれば、読取装置は撮像センサー、原稿搬送部、制御部及び筐体を備えている。画像が描かれた原稿を原稿搬送部が撮像センサーと対向する位置に搬送する。そして、撮像センサーが画像を読み取る。制御部が原稿搬送部の制御と撮像センサーの制御を行う。原稿の搬送と画像の読み取りを並行して行い、原稿は読取装置の外部に排出される。
【００１１】
筐体にはスイッチが設置され、スイッチは制御部と電気的に接続されている。操作者がスイッチを操作するとき、スイッチの操作に伴う信号を制御部が入力する。そして、制御部はスイッチの操作に応じて所定の動作を行う。スイッチは凹部に設置されている。そのため、運搬の際に、スイッチが誤操作されることを抑制することができる。
【００１２】
［適用例２］
上記適用例にかかる読取装置において、前記原稿を挿入する側面を前側面、排出する側面を背側面とした場合、前記前側面と前記背側面との間に装置上面を有し、前記凹部は、前記前側面および前記装置上面に跨って形成されることを特徴とする。
【００１３】
本適用例によれば、前記前側面および装置上面に跨って形成される凹部にスイッチが設置されているため、スイッチの誤操作を抑制できるとともに、操作性を向上することができる。
【００１４】
［適用例３］
上記適用例にかかる読取装置において、前記凹部は、原稿の搬送をガイドするガイド面と、前記ガイド面から装置上面に向けて立設する立設面を有し、前記スイッチは、前記立設面に配置されることを特徴とする。
【００１５】
本適用例によれば、スイッチが凹部の立設面に形成されている。したがって、スイッチの誤操作を抑制できるとともに、操作性を向上することができる。
【００１６】
［適用例４］
上記適用例にかかる読取装置において、前記凹部は前記筐体の長手方向の両側に壁部を備え、前記スイッチの可動部と前記壁部との距離が１ｃｍ以上５ｃｍ以下であることを特徴とする。
【００１７】
本適用例によれば、凹部は筐体の長手方向の両側に壁部を備えている。壁部は凹部の底面と接続する側面に相当する。スイッチの可動部が壁部に近い程、スイッチは誤操作され難いが操作し難くなる。スイッチの可動部と前記壁部との距離が１ｃｍ以上５ｃｍ以下になっている。このとき、スイッチは物体により誤操作され難いが、操作者が操作したいときには容易に操作することができる。
【００１８】
［適用例５］
上記適用例にかかる読取装置において、前記スイッチは可動部がスライドするスライドスイッチであることを特徴とする。
【００１９】
本適用例によれば、スイッチはスライドスイッチである。スライドスイッチではスライドスイッチが設置された面に沿って操作者が可動部を移動させる。スイッチは凹部にあるので、物体が凹部の深さ方向に移動するとき、物体がスイッチを押すことは多い。しかし、物体がスライドスイッチを操作するには、まず、スライドスイッチが設置された面に物体が到達する必要がある。さらに、スライドスイッチが設置された面に沿って物体が可動部を移動させる必要がある。このように、物体がスライドスイッチを操作するには２方向の移動が必要であるので、物体がスライドスイッチを偶発的に操作することを抑制することができる。
【００２０】
［適用例６］
上記適用例にかかる読取装置において、前記スイッチは前記可動部が弾性部材により付勢されていることを特徴とする。
【００２１】
本適用例によれば、スイッチは可動部が弾性部材により付勢されている。操作者がスイッチを操作するとき、弾性部材が作用する力に抗して操作者がスイッチの可動部を移動する。そして、スイッチの操作に伴う信号を制御部が入力する。この後で、操作者は可動部を保持することをやめるとき、可動部は弾性部材に押圧されて元の位置に移動する。従って、操作者は一方向にのみ応力を作用させる操作になっている。一方、可動部が弾性部材により付勢されていないとき、操作者は一方向に応力を作用させて可動部を移動させた後で、移動させた方向と逆の方向に応力を作用させて可動部を元の位置に移動させる操作が必要となっている。このときに、比べて操作者は容易にスイッチを操作することができる。
【００２２】
［適用例７］
上記適用例にかかる読取装置において、前記筐体の上面には情報を表示する第１表示部が設置され、前記スイッチと前記第１表示部との距離は１ｃｍ以上７ｃｍ以下であることを特徴とする。
【００２３】
本適用例によれば、筐体には情報を表示する第１表示部が設置されている。そして、スイッチと第１表示部との距離は１ｃｍ以上７ｃｍ以下になっている。スイッチと第１表示部との距離が１ｃｍ以上離れているので、スイッチと第１表示部との間に筐体の一部を配置させることができる。そして、筐体はスイッチ及び第１表示部を保持する構造にすることができる。操作者がスイッチを操作するとき、操作者はスイッチを見ることが多い。このとき、第１表示部はスイッチとの距離が７ｃｍと近い場所にあるので、操作者はスイッチと第１表示部とを同時に視野に入れることができる。制御部がスイッチの操作に伴う信号を入力して、第１表示部に信号の入力に伴う情報を表示する。このとき、操作者はスイッチの操作が作用したことを容易に確認することができる。
【００２４】
［適用例８］
上記適用例にかかる読取装置において、前記スイッチは電源スイッチであり、前記筐体の長手方向において中心に対して重心と反対側に前記スイッチが配置されていることを特徴とする。
【００２５】
本適用例によれば、筐体の長手方向において中心に対して重心と反対側に電源スイッチが配置されている。操作者が読取装置を立てて収納するときには重い方が下側になり軽い方が上側になる。下側が地面側であり、上側は天井側である。そして、上側に開口する容器に読取装置を収納するとき、読取装置の上側が開口に近くなる。このとき、操作者は容易に読取装置の上側を把持することができる。そして、長い筐体において電源スイッチは操作者が把持した側にあるので、操作者は片手で容易に電源スイッチを入れることができる。
【００２６】
［適用例９］
上記適用例にかかる読取装置において、前記筐体を前記凹部側から見たときに前記スイッチは右側に配置されていることを特徴とする。
【００２７】
本適用例によれば、筐体を凹部側から見たときに電源スイッチは右側に配置されている。読取装置を机上に設置したとき、電源スイッチは右側に配置される。操作者が右利きのとき、利き手である右手で容易に電源スイッチを入れることができる。右利きの人が多い国では多くの人が電源スイッチ操作を容易に行うことができる。
【００２８】
［適用例１０］
上記適用例にかかる読取装置において、前記凹部には前記原稿を前記原稿搬送部に案内する原稿挿入口が配置されていることを特徴とする。
【００２９】
本適用例によれば、凹部には原稿を原稿搬送部に案内する原稿挿入口が配置されている。従って、操作者は原稿を読み取る操作をするとき、原稿を原稿挿入口に挿入する。原稿挿入口は凹部に設置され、凹部にはスイッチが設置されている。従って、操作者が原稿を原稿挿入口に挿入するとき、容易にスイッチの位置を認識することができる。
【００３０】
［適用例１１］
上記適用例にかかる読取装置において、充電式電池と、前記充電式電池の充電状態を表示する第２表示部と、を備え、前記筐体の長手方向において中心に対して重心と反対側の端面に前記第２表示部が配置されていることを特徴とする。
【００３１】
本適用例によれば、読取装置は充電式電池及び第２表示部を備えている。第２表示部は充電式電池の充電状態を表示する。そして、筐体の長手方向において中心に対して重心と反対側の端面を第１側面とする。第２表示部は第１側面に配置されている。操作者が読取装置を立てて収納するときには重い方が下側になり軽い方が上側になる。下側が地面側であり、上側は天井側である。そして、上側に開口する容器に読取装置を収納するとき、読取装置の第１側面が開口に近くなる。このとき、操作者は読取装置の第１側面に配置された第２表示部を容易に確認することができる。
【図面の簡単な説明】
【００３２】
【図１】読取装置の構成を示す概略斜視図。
【図２】読取装置の構成を示す概略斜視図。
【図３】読取装置の構造を示す模式側断面図。
【図４】読取装置の構造を示す模式側断面図。
【図５】読取装置の構成を示す模式平断面図。
【図６】電源スイッチと第１表示部との位置を説明するための要部模式平面図。
【図７】電源スイッチの寸法を説明するための要部模式側面図。
【図８】電源スイッチの操作方法を説明するための模式図。
【図９】物体の電源スイッチへの接触を筐体が抑制することを説明するための模式図。
【図１０】物体の電源スイッチへの接触を筐体が抑制することを説明するための模式図。
【図１１】電源スイッチの構造を示す模式側断面図。
【図１２】電源スイッチの構造を示す模式側断面図。
【図１３】電源スイッチ及び第２表示部の位置を説明するための模式平面図。
【図１４】制御部の構成を示す電気ブロック図。
【発明を実施するための形態】
【００３３】
以下、実施形態について図面に従って説明する。尚、各図面における各部材は、各図面上で認識可能な程度の大きさとするため、各部材毎に縮尺を異ならせて図示している。
【００３４】
（実施形態）
本実施形態では、読取装置の特徴的な例について、図に従って説明する。実施形態にかかわる読取装置について図１〜図１４に従って説明する。図１及び図２は、読取装置の構成を示す概略斜視図である。
【００３５】
図１に示すように、読取装置１は１方向に長い柱状の筐体２を備えている。筐体２の長手方向をＸ方向とする。Ｘ方向から見たときの筐体２の形状は略長方形である。この長方形の長手方向をＹ方向とし、Ｘ方向及びＹ方向と直交する方向をＺ方向とする。
【００３６】
筐体２には＋Ｚ方向及び―Ｙ方向の角に凹部３が形成されている。すなわち、原稿の挿入側の面と、上面に跨って形成されている。また、Ｘ方向において凹部３は中程に形成されている。そして、筐体２では凹部３の＋Ｘ側は窪んでおらず、凹部３より突出する。この突出する部分を第１凸部２ａとする。
【００３７】
凹部３は筐体２の長手方向の第１凸部２ａ側に壁部としての第１壁部３ａを備えている。凹部３において、＋Ｚ方向を向く面を、原稿をガイドするガイド面としての原稿ガイド面３ｂとする。原稿ガイド面３ｂは原稿の搬送をガイドする。凹部３において、＋Ｚ方向に立設し、−Ｙ方向を向く面を立設面としての第２壁部３ｃとする。
【００３８】
凹部３は筐体２の長手方向の第１凸部２ａ側に壁部としての第１壁部３ａを備えている。凹部３において、＋Ｚ方向を向く面を原稿ガイド面３ｂとする。凹部３において、−Ｙ方向を向く面を第２壁部３ｃとする。
【００３９】
凹部３において、原稿ガイド面３ｂと第２壁部３ｃとの間は原稿挿入口４になっている。原稿挿入口４は操作者が原稿を挿入する場所である。操作者は原稿ガイド面３ｂに沿って原稿を移動させて原稿を原稿挿入口４に挿入する。このように、凹部３には原稿を案内する原稿挿入口４が配置されている。操作者は原稿を読み取る操作をするとき、原稿を原稿挿入口４に挿入する。原稿挿入口４は凹部３に設置され、凹部３にはスイッチとしての電源スイッチ５が配置されている。従って、操作者が原稿を原稿挿入口４に挿入するとき、容易に電源スイッチ５の位置を認識することができる。
【００４０】
第２壁部３ｃには電源スイッチ５、ＷＰＳスイッチ６（Ｗｉ−Ｆｉ Ｐｒｏｔｅｃｔｅｄ Ｓｅｔｕｐ（登録商標））、通信切替スイッチ７が設置されている。電源スイッチ５はスタンバイ状態と停止状態とを切り替えるスイッチである。読取装置１を操作するときに操作者が最初に操作するスイッチが電源スイッチ５である。
【００４１】
筐体２を凹部３部側から見たときに電源スイッチ５は右側に配置されている。読取装置１を机上に設置したとき、電源スイッチ５は右側に配置される。操作者が右利きのとき、利き手である右手で容易に電源スイッチ５を入れることができる。
【００４２】
読取装置１には外部機器にデータを送信する手段として無線ＬＡＮ（Ｌｏｃａｌ Ａｒｅａ Ｎｅｔｗｏｒｋ）手段とＵＳＢ（Ｕｎｉｖｅｒｓａｌ Ｓｅｒｉａｌ Ｂｕｓ）手段とが設置されている。そして、操作者は通信切替スイッチ７を操作することにより、データを送信する手段を無線ＬＡＮ手段とＵＳＢ手段とのうち一方を選択することができる。
【００４３】
操作者がデータを送信する手段に無線ＬＡＮ手段を選択するとき、外部機器及び読取装置１は互いに通信する設定を行う。このとき、操作者がＷＰＳスイッチ６を操作することにより、読取装置１は通信設定に必要な電波信号を出力する。外部機器は通信設定に必要な電波信号を受信して通信設定を行う。
【００４４】
筐体２において＋Ｚ方向側の面を装置上面としての上面２ｂとし＋Ｘ方向側の面を端面としての第１側面２ｃとする。上面２ｂには読取開始スイッチ８、第１表示部９及び第２表示部１０が設置されている。読取開始スイッチ８は読取装置１に原稿の読み取りを開始させるスイッチである。
【００４５】
筐体２において−Ｙ方向側の面を前側面２ｉとする。前側面２ｉは原稿を挿入する側面である。
【００４６】
第２壁部３ｃは原稿ガイド面３ｂから上面２ｂに向けて立設する。電源スイッチ５は、第２壁部３ｃに配置される。
【００４７】
第１表示部９は読取装置１の状態等の情報を表示する。第１表示部９はスタンバイ状態か否かの表示を行う。他にも、第１表示部９は読取装置１が読み取った原稿の枚数を表示する。筐体２の内部には充電式電池が設置されている。そして、第１表示部９は充電式電池が蓄えた電力の残量を表示する。他にも、第１表示部９は各種の情報を表示する。第１表示部９には液晶表示装置が用いられている。
【００４８】
第２表示部１０は読取装置１の充電式電池の状態にかかる情報を表示する。たとえば、充電式電池が充電中であるか、放電中であるかの表示を行う。第２表示部１０には多色の表示が可能なＬＥＤ（Ｌｉｇｈｔ Ｅｍｉｔｔｉｎｇ Ｄｉｏｄｅ）が用いられている。第２表示部１０は表示する色をかえることにより、充電式電池の状態にかかる情報を表示する。第２表示部１０は上面２ｂと第１側面２ｃとが接続する角に設置されている。そして、第１側面２ｃは＋Ｘ方向及び＋Ｚ方向から目視可能になっている。
【００４９】
図２に示すように、第２表示部１０の一部は第１側面２ｃにも設置されている。そして、筐体２の＋Ｙ方向側の面を背側面としての第２側面２ｄとする。第２側面２ｄには原稿排出口１１が設置されている。原稿挿入口４から読取装置１の内部に入った原稿は原稿排出口１１から排出される。第２側面２ｄは原稿を排出する側面である。上面２ｂは前側面２ｉと第２側面２ｄとの間に位置する。凹部３は、前側面２ｉおよび上面２ｂに跨って形成されている。
【００５０】
図３及び図４は読取装置の構造を示す模式側断面図である。図３は図１のＡ−Ａ線に沿う模式断面図であり、読取装置１の中程の断面を示している。図４は図１のＢ−Ｂ線に沿う模式断面図であり、−Ｘ方向側の断面を示している。図３に示すように、原稿ガイド面３ｂは原稿挿入口４の外側から読取装置１に内部まで設置されている。原稿１２は原稿ガイド面３ｂに沿って原稿挿入口４から挿入される。
【００５１】
原稿挿入口４の＋Ｙ方向側の近くには原稿抑え板１３が設置されている。原稿抑え板１３は軸１３ａを回転中心にして搖動可能になっている。そして、原稿抑え板１３の＋Ｚ方向側には抑えばね１４が設置され、抑えばね１４は原稿抑え板１３を付勢する。これにより、原稿抑え板１３の先端１３ｂが原稿１２を押圧する。
【００５２】
原稿抑え板１３の＋Ｙ方向側には撮像センサー１５及び原稿搬送部１６が設置されている。原稿搬送部１６は弾力性を有しＸ方向に長い円柱状の形状になっている。原稿搬送部１６は軸１６ａを回転中心にして回転する。撮像センサー１５は原稿ガラス１７を備え、原稿ガラス１７は原稿搬送部１６と対向する場所に配置されている。そして、操作者が原稿１２を原稿挿入口４に挿入するとき、原稿１２は原稿ガイド面３ｂに沿って＋Ｙ方向に進行する。そして、原稿１２の先端が原稿搬送部１６と原稿ガラス１７との間に到達する。原稿搬送部１６の表面は原稿１２との摩擦抵抗が高く、原稿ガラス１７の表面は原稿１２との摩擦抵抗が低い。従って、原稿搬送部１６が回転するとき、原稿１２は原稿搬送部１６により＋Ｙ方向に移動させられる。そして、原稿挿入口４は原稿１２を原稿搬送部１６に案内する入口になっている。
【００５３】
撮像センサー１５は光源１８、ラインセンサー２１及び駆動基板２２を備えている。光源１８及びラインセンサー２１はＸ方向に長い形状になっている。光源１８が原稿１２に向けて光２３を照射する。光２３は原稿ガラス１７を通過して原稿１２に到達する。原稿１２に到達した光２３の一部は原稿１２で反射する。原稿１２に光２３が照射される場所と対向する場所にラインセンサー２１が設置されている。原稿１２で反射した光２３の一部は原稿ガラス１７を通過してラインセンサー２１に到達する。ラインセンサー２１は原稿１２で反射した光２３を受光して電気信号に変換する。
【００５４】
駆動基板２２は光源１８及びラインセンサー２１と電気的に接続されている。駆動基板２２には光源１８及びラインセンサー２１を駆動する駆動回路が設置されている。駆動基板２２は光源１８に電力を供給すると共に光源１８が照射する光２３の強度を制御する。他にも、駆動基板２２はラインセンサー２１が出力する電気信号を増幅して出力する。
【００５５】
光源１８はＸ方向に多数のＬＥＤ（ｌｉｇｈｔ ｅｍｉｔｔｉｎｇ ｄｉｏｄｅ）が配列されている。従って、光源１８は原稿１２のＸ方向の長い範囲に亘って光２３を照射する。ラインセンサー２１はＸ方向に多数のフォトトランジスターが配列されている。従って、ラインセンサー２１は原稿１２のＸ方向の長い範囲で反射した光２３を検出する。
【００５６】
原稿搬送部１６は画像が描かれた原稿１２を撮像センサー１５と対向する位置に搬送する。画像により原稿１２の表面には濃淡があるので、原稿１２で反射する光２３は画像に対応した分布になる。そして、ラインセンサー２１はＸ方向に長い範囲の光２３の分布を検出する。そして、原稿搬送部１６が原稿１２を＋Ｙ方向に所定の距離移動させる毎にラインセンサー２１がＸ方向の光２３の分布を検出する。原稿搬送部１６による原稿１２の移動とラインセンサー２１による光２３の分布の検出とを繰り返して行うことにより撮像センサー１５は画像を読み取る。
【００５７】
原稿１２が原稿ガラス１７と原稿搬送部１６とに挟まれているとき、原稿抑え板１３が原稿１２を押圧するので、原稿１２に張力が作用する。原稿１２に作用する張力により、原稿１２が弛むことが抑制される。
【００５８】
原稿ガイド面３ｂの−Ｚ方向側には撮像センサー１５及び原稿搬送部１６等を制御する制御部２４が設置されている。制御部２４は回路基板を備え、回路基板にはＣＰＵ、メモリー等による制御回路が設置されている。制御部２４には光源１８、ラインセンサー２１、電源スイッチ５、ＷＰＳスイッチ６、通信切替スイッチ７、読取開始スイッチ８、第１表示部９、第２表示部１０等が電気的に接続されている。
【００５９】
撮像センサー１５、原稿搬送部１６及び制御部２４等により本体２５が構成されている。そして、撮像センサー１５、原稿搬送部１６及び制御部２４を含む本体２５は筐体２に覆われている。
【００６０】
図４に示すように、読取装置１の−Ｘ方向側には原稿ガイド面３ｂの−Ｚ方向側に充電式電池２６が設置されている。充電式電池２６にはリチウムイオン電池やニッケル水素電池等を用いることができる。充電式電池２６も本体２５を構成する一部になっている。充電式電池２６及び第２表示部１０は制御部２４と電気的に接続されている。そして、第２表示部１０は充電式電池２６の充電状態を表示する。
【００６１】
図５は読取装置の構成を示す模式平断面図であり、図４のＣ−Ｃ線に沿う模式断面図であり、−Ｚ方向側から見た断面を示している。図５に示すように、充電式電池２６の−Ｘ方向側にはモーター２７が設置されている。モーター２７及び原稿搬送部１６にはギアが設置され、モーター２７及び原稿搬送部１６はギアを介してトルクが伝達される。モーター２７も本体２５の一部になっている。モーター２７も筐体２に覆われている。
【００６２】
制御部２４にはＵＳＢケーブル２８を接続するためのＵＳＢコネクター２９が設置されている。第１側面２ｃにはＵＳＢケーブル２８を挿入するための第１孔２ｅが設置されている。操作者は第１孔２ｅにＵＳＢケーブル２８を挿入することによりＵＳＢケーブル２８をＵＳＢコネクター２９に挿入することができる。
【００６３】
本体２５を構成する部位の中では充電式電池２６及びモーター２７が重い部位になっている。そして、充電式電池２６及びモーター２７はＸ方向において−Ｘ方向側に配置されている。従って、Ｚ方向側からみたときの筐体２の中心２ｆに対して読取装置１の重心３０は−Ｘ方向側に位置している。
【００６４】
図６は電源スイッチと第１表示部との位置を説明するための要部模式平面図である。図６に示すように、電源スイッチ５と第１表示部９との距離を第１距離３１とする。電源スイッチ５は一部が−Ｙ方向に突出する可動部としての凸部５ａを備えている。そして、Ｚ方向からみたときの凸部５ａの中心５ｂと第１表示部９の中心９ａとの距離が第１距離３１である。第１距離３１は１ｃｍ以上７ｃｍ以下であることが好ましい。さらに、第１距離３１は１０ｍｍ以上３５ｍｍ以下であることが好ましい。さらに、第１距離３１は２０ｍｍ以上２４ｍｍ以下であることが好ましい。
【００６５】
電源スイッチ５と第１表示部９との距離が１ｃｍ以上離れているので、電源スイッチ５と第１表示部９との間に筐体２の一部を配置させることができる。そして、筐体２は電源スイッチ５及び第１表示部９を保持する構造にすることができる。操作者が電源スイッチ５を操作するとき、操作者は電源スイッチ５を見ることが多い。このとき、第１表示部９は電源スイッチ５との距離が７ｃｍ以下と近い場所にあるので、操作者は電源スイッチ５と第１表示部９とを同時に視野に入れることができる。制御部２４が電源スイッチ５の操作に伴う信号を入力して、第１表示部９に信号の入力に伴った表示をする。このとき、操作者は電源スイッチ５の操作が作用したことを容易に確認することができる。
【００６６】
Ｚ方向から見たときの凹部３のＹ方向長さを凹部第１深さ３ｄとする。凹部第１深さ３ｄは特に限定されないが、本実施形態では例えば、８ｍｍになっている。
【００６７】
図７は電源スイッチの寸法を説明するための要部模式側面図である。図７に示すように、−Ｙ方向から見たときの凹部３のＺ方向長さを凹部第２深さ３ｅとする。凹部第２深さ３ｅは特に限定されないが、本実施形態では例えば、１８ｍｍになっている。
【００６８】
電源スイッチ５がＸ方向に移動するときの＋Ｘ方向側の端と−Ｘ方向側の端との間の距離をスイッチ移動範囲５ｃとする。スイッチ移動範囲５ｃは特に限定されないが、本実施形態では例えば、約１４ｍｍになっている。スイッチ移動範囲５ｃと第１壁部３ａとの間の距離をスイッチ壁間距離５ｄとする。スイッチ壁間距離５ｄは特に限定されないが、本実施形態では例えば、約１９ｍｍになっている。
【００６９】
電源スイッチ５の可動部と第１壁部３ａとの距離を第２距離３２とする。詳しくは、第２距離３２は凸部５ａの中心５ｂと第１壁部３ａとの距離を示す。第２距離３２は１ｃｍ以上５ｃｍ以下が好ましい。さらには、第２距離３２は１．５ｃｍ以上３．５ｃｍ以下が好ましい。さらには、第２距離３２は２ｃｍ以上３ｃｍ以下が好ましい。第２距離３２は特に限定されないが、本実施形態では例えば、約２５ｍｍになっている。
【００７０】
電源スイッチ５の凸部５ａが第１壁部３ａに近い程、電源スイッチ５は誤操作され難いが操作し難くなる。電源スイッチ５の凸部５ａと第１壁部３ａとの距離が１ｃｍ以上５ｃｍ以下になっている。このとき、箱や手帳等の物体により電源スイッチ５は誤操作され難いが、操作者が操作したいときには容易に操作することができる。
【００７１】
図８は電源スイッチの操作方法を説明するための模式図である。図８に示すように、操作者３３は第２側面２ｄと第２壁部３ｃとを指で挟んで読取装置１を保持する。このとき、操作者３３は指の腹を凸部５ａに当てることができる。電源スイッチ５はスライドスイッチである。スライドスイッチではスライドスイッチが設置された面に沿って操作者３３が凸部５ａを移動させる。電源スイッチ５は凹部３にあるので、物体が凹部３の深さ方向に移動するとき、物体が電源スイッチ５を押す可能性は高い。しかし、物体がスライドスイッチを操作するには、まず、スライドスイッチが設置された第２壁部３ｃに物体が到達する必要がある。さらに、スライドスイッチが設置された第２壁部３ｃに沿って物体が凸部５ａを移動させる必要がある。このように、物体がスライドスイッチを操作するにはＹ方向とＸ方向の２方向の移動が必要であるので、物体がスライドスイッチを偶発的に操作することを抑制することができる。
【００７２】
図９及び図１０は物体の電源スイッチへの接触を筐体が抑制することを説明するための模式図である。図９に示すように、読取装置１の周囲に固定されていない物体３４があるとき、筐体２は物体３４に押圧されたり当てられることがある。物体３４は例えば、筆箱、ノート、小物入れ、携帯型電子機器等であり、鞄内に読取装置１と共に収納されている物である。物体３４が−Ｙ方向側から読取装置１に接近するとき、物体３４の多くは第１凸部２ａに当たる。電源スイッチ５は凹部３に設置されている。このとき、物体３４は筐体２の外側と接触するので凹部３の中まで入り難い。従って、物体３４は電源スイッチ５に到達し難い為、物体３４により電源スイッチ５が誤操作されることを抑制することができる。
【００７３】
図１０に示すように、物体３４が第１凸部２ａに当たらないとき、物体３４の一部が凹部３の内部に入る。筐体２の−Ｙ方向側の側面を第３側面２ｈとするとき、物体３４の一部は第３側面２ｈと凹部３とが接続する辺に当たる。また、物体３４の一部は上面２ｂと凹部３とが接続する辺に当たる。このため、物体３４は電源スイッチ５に到達し難い為、物体３４により電源スイッチ５が誤操作されることを抑制することができる。
【００７４】
図１１及び図１２は電源スイッチの構造を示す模式側断面図である。図１１に示すように、電源スイッチ５はＸ方向に長い長方形の回路基板３５を備えている。回路基板３５には第１電極３５ａ及び第２電極３５ｂが設置されている。第１電極３５ａは第２電極３５ｂよりＸ方向側が長くなっている。第１電極３５ａ及び第２電極３５ｂはそれぞれ制御部２４と電気的に接続されている。
【００７５】
回路基板３５の−Ｙ方向側には可動部３６が設置されている。電源スイッチ５は可動部３６がスライドするスライドスイッチである。可動部３６は回路基板３５と筐体２との間に位置し、Ｘ方向に移動可能になっている。筐体２には可動部３６の一部が露出する第２孔２ｇが設置されている。可動部３６がＸ方向に移動するとき、可動部３６が第２孔２ｇに当たるので、可動部３６の移動範囲が限定される。
【００７６】
回路基板３５は筐体２に固定された支持部材３７により支持されている。そして、回路基板３５と筐体２との間の間隔が所定の距離に規制されている。可動部３６の＋Ｘ方向側には弾性部材としてのばね３８が設置されている。ばね３８はコイル状の圧縮ばねであり支持部材３７と可動部３６との間に位置する。支持部材３７は筐体２に固定されているので、ばね３８は可動部３６を付勢する。電源スイッチ５では可動部３６がばね３８により付勢されている。
【００７７】
可動部３６には接触子４１が設置され、接触子４１には互いに導通する第１接点４１ａ及び第２接点４１ｂが設置されている。接触子４１は板ばねで形成されているので、第１接点４１ａ及び第２接点４１ｂは回路基板３５を押圧する。操作者３３が可動部３６を操作しないとき、可動部３６は−Ｘ方向側に位置する。このとき、第１接点４１ａは第１電極３５ａと接触し、第２接点４１ｂは第２電極３５ｂと接触しない。従って、第１電極３５ａと第２電極３５ｂとは電気的に接続していない“ＯＦＦ“状態になっている。
【００７８】
図１２に示すように、操作者３３が可動部３６を＋Ｘ方向にスライドする操作をするとき、可動部３６は＋Ｘ方向側に移動する。このとき、第１接点４１ａは第１電極３５ａと接触し、第２接点４１ｂは第２電極３５ｂと接触する。従って、第１電極３５ａと第２電極３５ｂとは電気的に接続する“ＯＮ“状態になる。
【００７９】
操作者３３が可動部３６の操作をやめるとき可動部３６は−Ｘ方向側に移動する。このとき、第１接点４１ａは第１電極３５ａと接触し、第２接点４１ｂは第２電極３５ｂと接触しない。従って、第１電極３５ａと第２電極３５ｂとは電気的に接続していない“ＯＦＦ“状態になる。
【００８０】
このように、操作者３３は一方向にのみ応力を作用させて、電源スイッチ５の“ＯＦＦ“状態と“ＯＮ“状態とを切り替える操作ができる。一方、可動部３６がばね３８により付勢されていないとき、操作者３３は一方向に応力を作用させて可動部３６を移動させた後で、移動させた方向と逆の方向に応力を作用させて可動部３６を元の位置に移動させる操作が必要となっている。このときに、比べて操作者３３は容易に電源スイッチ５を操作することができる。
【００８１】
図１３は電源スイッチ及び第２表示部の位置を説明するための模式平面図である。図１３に示すように、筐体２の長手方向において中心２ｆに対して重心３０と反対側に電源スイッチ５が配置されている。操作者３３が読取装置１を立てて収納するときには重い方が下側になり軽い方が上側になる。下側が地面側であり、上側は天井側である。そして、上側に開口する鞄等の容器に読取装置１を収納するとき、読取装置１の上側が開口に近くなる。このとき、操作者は容易に読取装置１の上側を把持することができる。そして、長い筐体２において電源スイッチ５は操作者３３が把持した側にあるので、操作者３３は片手でも容易に電源スイッチ５を入れることができる。
【００８２】
筐体２の長手方向において中心２ｆに対して重心３０と反対側の第１側面２ｃに第２表示部１０が配置されている。第２表示部１０は充電式電池２６の充電状態を表示する。操作者３３が読取装置１を立てて収納するときには重い方が下側になり軽い方が上側になる。そして、上側に開口する容器に操作者３３が読取装置１を収納するとき、読取装置１の上側が開口に近くなる。このとき、操作者３３は読取装置１の上側の第１側面２ｃに配置された第２表示部１０を容易に確認することができる。
【００８３】
図１４は制御部の構成を示す電気ブロック図である。図１４において、制御部２４はプロセッサーとして各種の演算処理を行うＣＰＵ４２（中央演算処理装置）と、各種情報を記憶する記憶部としてのメモリー４３を備えている。電源スイッチ５、ＷＰＳスイッチ６、通信切替スイッチ７、読取開始スイッチ８は入出力インターフェイス４４及びデータバス４５を介してＣＰＵ４２に接続されている。他にも、第１表示部９、第２表示部１０、撮像センサー１５、モーター２７及び通信装置４６は入出力インターフェイス４４及びデータバス４５を介してＣＰＵ４２に接続されている。
【００８４】
電源スイッチ５はスタンバイ状態と停止状態とを切り替えるスイッチである。操作者３３が電源スイッチ５を操作するとき、電源スイッチ５は操作されたことを示す信号を制御部２４に出力する。
【００８５】
ＷＰＳスイッチ６は通信設定に必要な電波信号を出力する指示を受け付けるスイッチである。操作者３３がＷＰＳスイッチ６を操作するとき、ＷＰＳスイッチ６は操作されたことを示す信号を制御部２４に出力する。
【００８６】
通信切替スイッチ７はデータを送信する手段を無線ＬＡＮ手段とＵＳＢ手段とのうちの一方に切り替えるスイッチである。操作者３３が通信切替スイッチ７を操作するとき、通信切替スイッチ７は操作されたことを示す信号を制御部２４に出力する。
【００８７】
読取開始スイッチ８は読取装置１に原稿１２の読み取りを開始させるスイッチである。操作者３３が読取開始スイッチ８を操作するとき、読取開始スイッチ８は操作されたことを示す信号を制御部２４に出力する。
【００８８】
第１表示部９は読取装置１の状態を表示する。第１表示部９は液晶表示装置等からなる。第２表示部１０は制御部２４から指示信号を入力して読取装置１の充電式電池２６の状態にかかる情報を表示する。第２表示部１０は多色の表示が可能なＬＥＤ等からなる。
【００８９】
撮像センサー１５は原稿１２に記載された画像を撮影する。そして、撮影した画像のデータを制御部２４に出力する。撮像センサー１５はラインセンサー２１や光源１８等により構成されている。
【００９０】
モーター２７は制御部２４の指示信号を入力して原稿搬送部１６を回転する。そして、画像が描かれた原稿１２を原稿搬送部１６が撮像センサー１５と対向する位置に搬送する。
【００９１】
通信装置４６は読取装置１が外部機器に送信する装置である。通信装置４６は無線ＬＡＮ手段とＵＳＢ手段とのうちの一方を用いて外部機器へ画像データを送信する。
【００９２】
メモリー４３は、ＲＡＭ、ＲＯＭ等といった半導体メモリーを含む概念である。メモリー４３は読取装置１の動作の制御手順が記述されたプログラム４７を記憶する。他にも、メモリー４３は、撮像センサー１５が撮像した画像のデータである画像データ４８を記憶する。他にも、メモリー４３はＣＰＵ４２のためのワークエリアやテンポラリーファイル等として機能する記憶領域やその他各種の記憶領域を備える。
【００９３】
ＣＰＵ４２は、メモリー４３内に記憶されたプログラム４７に従って撮像センサー１５及び原稿搬送部１６を制御する。プログラム４７が動作するＣＰＵ４２は具体的な機能実現部として搬送制御部４９を有する。搬送制御部４９はモーター２７に制御信号を出力して原稿搬送部１６に原稿１２を移動させる。
【００９４】
他にも、ＣＰＵ４２は撮像制御部５０を有する。撮像制御部５０は撮像センサー１５に制御信号を出力して原稿１２に記載された画像を撮像させる。そして、画像データ４８をメモリー４３に記憶する。
【００９５】
他にも、ＣＰＵ４２は通信制御部５１を有する。通信制御部５１は通信装置４６に通信を行う制御信号を出力する。そして、通信制御部５１は外部機器に画像データ４８を出力させる。他にも、ＣＰＵ４２は入力監視部５２を有する。入力監視部５２は電源スイッチ５、ＷＰＳスイッチ６の入力を監視する。他にも、通信切替スイッチ７の切り替えが行われたか否かの監視を行う。他にも、読取装置１には撮像センサー１５と原稿搬送部１６との間に原稿１２が挿入されたか否かを検出する図示しない原稿センサーが設置されている。入力監視部５２は原稿センサーの出力を監視して、撮像センサー１５と原稿搬送部１６との間に原稿１２が挿入されたか否かを監視する。さらに、入力監視部５２は充電式電池２６が充電中か放電中かの監視や充電式電池２６の残量を監視する。
【００９６】
他にも、ＣＰＵ４２は表示制御部５３を有する。表示制御部５３は第１表示部９に読取装置１の状態を示す状態信号を出力する。この状態信号が示す内容には読取装置１が読み取りした原稿１２の枚数、読み取り待機状態、データ送信状態、原稿挿入待ち状態等がある。そして、第１表示部９に読取装置１の状態を示す情報を表示させる。さらに、表示制御部５３は第２表示部１０に充電式電池２６の状態を示す状態信号を出力する。この状態信号が示す状態には充電状態、放電状態、充電残量が少ない状態、充電完了状態等がある。そして、第２表示部１０に充電式電池２６の状態を示す情報を表示させる。
【００９７】
次に、読取装置１の動作手順を説明する。まず、操作者３３が鞄の中に収納されている読取装置１を把持する。鞄の上側に開口があり、開口が重力加速度方向の逆側を向いて設置される。読取装置１が立てて収納されているとき、鞄の開口側に電源スイッチ５がある。操作者３３は読取装置１を把持するとともに、指で電源スイッチ５をスライドさせる。この操作により、信号が電源スイッチ５から入力監視部５２に出力される。
【００９８】
ＣＰＵ４２は駆動状態を停止状態からスタンバイ状態へ切り替える。スタンバイ状態では搬送制御部４９がモーター２７に通電させて、駆動の準備をする。さらに、撮像センサー１５を駆動させて撮像の準備をする。
【００９９】
次に、操作者３３は通信切替スイッチ７を設定する。無線ＬＡＮを使用するときに通信設定が行われていないときにはＷＰＳスイッチ６を操作して通信の設定を行う。
【０１００】
次に、操作者３３は原稿挿入口４に原稿１２を挿入する。原稿１２は原稿ガイド面３ｂに沿って進行する。原稿１２の先端が撮像センサー１５と原稿搬送部１６との間に突き当たる。次に、操作者３３は読取開始スイッチ８を操作する。入力監視部５２は読取開始スイッチ８の入力を検出して搬送制御部４９及び撮像制御部５０に駆動開始の指示信号を出力する。搬送制御部４９はモーター２７を駆動させて原稿搬送部１６に所定の速度で原稿１２を移動させる。撮像制御部５０は撮像センサー１５を駆動させて原稿１２を撮像する。
【０１０１】
通信制御部５１は撮像された画像データ４８を外部機器に出力する。原稿１２が撮像センサー１５を通り過ぎたとき、搬送制御部４９はモーター２７の駆動を停止してスタンバイ状態のまま待機する。
【０１０２】
操作者３３が電源スイッチ５を操作するとき信号が電源スイッチ５から入力監視部５２に出力される。ＣＰＵ４２はスタンバイ状態から停止状態へ切り替える。停止状態では入力監視部５２以外の機能を停止する。操作者３３が充電式電池２６の充電を開始するとき、入力監視部５２は第２表示部１０の色を充電中を示す色に切り替えて発光させる。そして、入力監視部５２は充電式電池２６の充電が最大充電量になったとき、入力監視部５２は第２表示部１０の色を充電が最大充電量になったことを示す色に切り替えて発光させる。操作者３３は第２表示部１０を確認することにより充電が終了したことを認識する。
【０１０３】
上述したように、本実施形態によれば、以下の効果を有する。
（１）本実施形態によれば、読取装置１は撮像センサー１５、原稿搬送部１６、制御部２４及び筐体２を備えている。画像が描かれた原稿１２を原稿搬送部１６が撮像センサー１５と対向する位置に搬送する。そして、撮像センサー１５が画像を読み取る。制御部２４が原稿搬送部１６の制御と撮像センサー１５の制御を行う。原稿１２の搬送と画像の読み取りを並行して行い、原稿を読取装置１の外部に排出される。
【０１０４】
筐体２には電源スイッチ５、ＷＰＳスイッチ６及び通信切替スイッチ７が設置され、電源スイッチ５、ＷＰＳスイッチ６及び通信切替スイッチ７は制御部２４と電気的に接続されている。操作者３３が電源スイッチ５、ＷＰＳスイッチ６及び通信切替スイッチ７を操作するとき、電源スイッチ５、ＷＰＳスイッチ６及び通信切替スイッチ７の操作に伴う信号を制御部２４が入力する。そして、制御部２４は電源スイッチ５、ＷＰＳスイッチ６及び通信切替スイッチ７の操作に応じて所定の動作を行う。電源スイッチ５、ＷＰＳスイッチ６及び通信切替スイッチ７は凹部３に設置されている。読取装置１を鞄に収納し、移動させるとき、また、鞄内部の周囲に固定されていない物体３４があるとき、筐体２は物体３４に押圧されたり当てられることがある。このとき、物体３４は筐体２の外側と接触するので凹部３の中まで入り難い。従って、物体３４は電源スイッチ５、ＷＰＳスイッチ６及び通信切替スイッチ７に到達し難い為、物体３４により電源スイッチ５、ＷＰＳスイッチ６及び通信切替スイッチ７が誤操作されることを抑制することができる。
【０１０５】
（２）本実施形態によれば、凹部３は筐体２の長手方向に第１壁部３ａを備えている。第１壁部３ａは凹部３の原稿ガイド面３ｂと接続する側面に相当する。電源スイッチ５の可動部３６が第１壁部３ａに近い程、電源スイッチ５は誤操作され難いが操作し難くなる。電源スイッチ５の可動部３６と第１壁部３ａとの距離が１ｃｍ以上５ｃｍ以下になっている。このとき、電源スイッチ５は物体３４により誤操作され難いが、操作者３３が操作したいときには容易に操作することができる。
【０１０６】
（３）本実施形態によれば、電源スイッチ５はスライドスイッチである。スライドスイッチではスライドスイッチが設置された面に沿って操作者３３が可動部３６を移動させる。電源スイッチ５は凹部３にあるので、物体３４が＋Ｙ方向に移動するとき、物体３４が電源スイッチ５を押す確率は高い。しかし、物体３４がスライドスイッチを操作するには、まず、スライドスイッチが設置された面に物体３４が到達する必要がある。さらに、スライドスイッチが設置された面に沿って物体３４が可動部３６を＋Ｘ方向に移動させる必要がある。このように、物体３４がスライドスイッチを操作するには２方向の移動が必要であるので、物体３４がスライドスイッチを偶発的に操作することを抑制することができる。
【０１０７】
（４）本実施形態によれば、電源スイッチ５では可動部３６がばね３８により付勢されている。操作者３３が電源スイッチ５を操作するとき、ばね３８が作用する力に抗して操作者３３が可動部３６を移動する。そして、電源スイッチ５の操作に伴う信号を制御部２４が入力する。この後で、操作者３３は可動部３６を保持することをやめることにより可動部３６はばね３８に押圧されて元の位置に移動する。従って、操作者３３は一方向にのみ応力を作用させる操作になっている。一方、可動部３６がばね３８により付勢されていないとき、操作者３３は一方向に応力を作用させて可動部３６を移動させた後で、移動させた方向と逆の方向に応力を作用させて可動部３６を元の位置に移動させる操作が必要となっている。このときに、比べて読取装置１では操作者３３は容易に電源スイッチ５を操作することができる。
【０１０８】
（５）本実施形態によれば、筐体２の上面には第１表示部９が設置されている。そして、電源スイッチ５と第１表示部９との距離は１ｃｍ以上７ｃｍ以下になっている。電源スイッチ５と第１表示部９との距離が１ｃｍ以上離れているので、電源スイッチ５と第１表示部９との間に筐体２の一部を配置させることができる。そして、筐体２は電源スイッチ５及び第１表示部９を保持する構造にすることができる。操作者３３が電源スイッチ５を操作するとき、操作者３３は電源スイッチ５を見ることが多い。このとき、第１表示部９は電源スイッチ５との距離が７ｃｍと近い場所にあるので、操作者３３は電源スイッチ５と第１表示部９とを同時に視野に入れることができる。制御部２４が電源スイッチ５の操作に伴う信号を入力して、第１表示部９に信号の入力に伴った表示をする。このとき、操作者３３は電源スイッチ５の操作が作用したことを容易に確認することができる。
【０１０９】
（６）本実施形態によれば、筐体２の長手方向において中心２ｆに対して重心３０と反対側に電源スイッチ５が配置されている。操作者３３が読取装置１を立てて収納するときには重い方が下側になり軽い方が上側になる。下側が地面側であり、上側は天井側である。そして、上側に開口する容器に読取装置１を収納するとき、読取装置１の上側が開口に近くなる。このとき、操作者３３は容易に読取装置１の上側を把持することができる。そして、長い筐体２において電源スイッチ５は操作者３３が把持した側にあるので、操作者３３は片手で容易に電源スイッチ５を入れることができる。
【０１１０】
（７）本実施形態によれば、筐体２を凹部３側から見たときに電源スイッチ５は右側に配置されている。読取装置１を机上に設置したとき、電源スイッチ５は右側に配置される。操作者３３が右利きのとき、利き手である右手で容易に電源スイッチ５を入れることができる。
【０１１１】
（８）本実施形態によれば、凹部３には原稿１２を原稿搬送部１６に案内する原稿挿入口４が配置されている。従って、操作者３３は原稿１２を読み取る操作をするとき、原稿１２を原稿挿入口４に挿入する。原稿挿入口４は凹部３に設置され、凹部３には電源スイッチ５が設置されている。従って、操作者３３が原稿１２を原稿挿入口４に挿入するとき、容易に電源スイッチ５の位置を認識することができる。
【０１１２】
（９）本実施形態によれば、読取装置１は充電式電池２６及び第２表示部１０を備えている。第２表示部１０は充電式電池２６の充電状態を表示する。そして、第２表示部１０は筐体２の長手方向において中心２ｆに対して重心３０と反対側の第１側面２ｃに配置されている。操作者３３が読取装置１を立てて収納するときには重い方が下側になり軽い方が上側になり易い。下側が地面側であり、上側は天井側である。そして、操作者３３が上側に開口する容器に読取装置１を収納するとき、読取装置１の第１側面２ｃが開口に近くなる。このとき、操作者３３は読取装置１の第１側面２ｃに配置された第２表示部１０を容易に確認することができる。
【０１１３】
（１０）本実施形態によれば、前側面２ｉおよび上面２ｂに跨って形成される凹部３に電源スイッチ５が設置されているため、電源スイッチ５の誤操作を抑制できるとともに、操作性を向上することができる。
【０１１４】
（１１）本実施形態によれば、電源スイッチ５が凹部３の第２壁部３ｃに形成されている。したがって、電源スイッチ５の誤操作を抑制できるとともに、操作性を向上することができる。
【０１１５】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記実施形態では、電源スイッチ５にスライドスイッチが用いられた。電源スイッチ５にはトグルスイッチやロータリースイッチを採用してもよい。いずれのスイッチにおいても凹部に設置することにより、誤操作を抑制することができる。
【０１１６】
（変形例２）
前記実施形態では、コイル状の圧縮ばねであるばね３８が可動部３６を付勢した。可動部３６を付勢する部材は弾性を有すれば良い。たとえば、板バネ、引っ張りばね、各種ゴム、トーションバネ等を用いることができる。
【符号の説明】
【０１１７】
１…読取装置、２…筐体、２ｂ…装置上面としての上面、２ｃ…端面としての第１側面、２ｄ…背側面としての第２側面、３…凹部、３ａ…壁部としての第１壁部、３ｂ…ガイド面としての原稿ガイド面、３ｃ…立設面としての第２壁部、４…原稿挿入口、５…スイッチとしての電源スイッチ、５ａ…可動部としての凸部、９…第１表示部、１０…第２表示部、１２…原稿、１５…撮像センサー、１６…原稿搬送部、２４…制御部、２６…充電式電池、３８…弾性部材としてのばね。
【図１】
2019125960.tif 000003
【図２】
2019125960.tif 000004
【図３】
2019125960.tif 000005
【図４】
2019125960.tif 000006
【図５】
2019125960.tif 000007
【図６】
2019125960.tif 000008
【図７】
2019125960.tif 000009
【図８】
2019125960.tif 000010
【図９】
2019125960.tif 000011
【図１０】
2019125960.tif 000012
【図１１】
2019125960.tif 000013
【図１２】
2019125960.tif 000014
【図１３】
2019125960.tif 000015
【図１４】
2019125960.tif 000016